(57)【特許請求の範囲】
【請求項１】
周囲の煙濃度を検知する煙検知素子及び該煙濃度に基づいて火災の発生を判断する煙火災判断部を有する煙感知部と、周囲温度を検出する温度検出素子及び該周囲温度に基づいて火災の発生を判断する温度火災判断部を有する温度感知部と、外部の火災受信機に煙感知部又は温度感知部を選択接続する接続部と、接続部の接続状態を切り替える切替判断部と、を備える複合型火災感知器であって、
煙検知素子の故障を検出する煙検知素子故障検出部を有し、前記切替判断部は煙検知素子故障検出部が煙検知素子の故障を検出すると温度感知部と火災受信機とを接続するように接続部の接続を切り替えることを特徴とする複合型火災感知器。
【請求項２】
前記切替判断部は、煙検知素子故障検出部が煙検知素子の故障を検出すると温度感知部と火災受信機とを接続するように接続部の接続を切り替えるとともに、温度感知部の温度火災判断部の火災発生の判断基準を低くして火災発生と判断しやすくすることを特徴とする請求項１記載の複合型火災感知器。
【請求項３】
周囲の煙濃度を検知する煙検知素子及び該煙濃度に基づいて火災の発生を判断する煙火災判断部を有する煙感知部と、周囲温度を検出する温度検出素子及び該周囲温度に基づいて火災の発生を判断する温度火災判断部を有する温度感知部と、外部の火災受信機に煙感知部又は温度感知部を選択接続する接続部と、接続部の接続状態を切り替える切替判断部と、を備える複合型火災感知器であって、
温度検出素子の故障を検出する温度検出素子故障検出部を有し、前記切替判断部は温度検出素子故障検出部が温度検出素子の故障を検出すると煙感知部と火災受信機とを接続するように接続部の接続を切り替えることを特徴とする複合型火災感知器。
【請求項４】
前記切替判断部は、温度検出素子故障検出部が温度検出素子の故障を検出すると煙感知部と火災受信機とを接続するように接続部の接続を切り替えるとともに、煙感知部の煙火災判断部の火災発生の判断基準を高くして火災発生と判断しにくくすることを特徴とする請求項３記載の複合型火災感知器。
【請求項５】
周囲の煙濃度を検知する煙検知素子を有する煙感知部と、周囲温度を検出する温度検出素子とを有する温度感知部と、を備える複合型火災感知器と、
煙感知部の感知した煙濃度に基づいて火災の発生を判断し、温度感知部の感知した周囲温度に基づいて火災の発生を判断する火災判断部と、火災判断部に煙感知部又は温度感知部を選択接続する接続部と、接続部の接続状態を切り替える切替判断部と、を有する火災受信機と、
を有して成る複合型火災感知システムであって、
煙検知素子の故障を検出する煙検知素子故障検出部を有し、前記切替判断部は煙検知素子故障検出部が煙検知素子の故障を検出すると温度感知部と火災受信機とを接続するように接続部の接続を切り替えることを特徴とする複合型火災感知システム。
【請求項６】
前記切替判断部は、煙検知素子故障検出部が煙検知素子の故障を検出すると温度感知部と火災判断部とを接続するように接続部の接続を切り替えるとともに、温度感知部の火災判断部の火災発生の判断基準を低くして火災発生と判断しやすくすることを特徴とする請求項５記載の複合型火災感知システム。
【請求項７】
周囲の煙濃度を検知する煙検知素子を有する煙感知部と、周囲温度を検出する温度検出素子とを有する温度感知部と、を備える複合型火災感知器と、
煙感知部の感知した煙濃度に基づいて火災の発生を判断し、温度感知部の感知した周囲温度に基づいて火災の発生を判断する火災判断部と、火災判断部に煙感知部又は温度感知部を選択接続する接続部と、接続部の接続状態を切り替える切替判断部と、を有する火災受信機と、
を有して成る複合型火災感知システムであって、
温度検出素子の故障を検出する温度検出素子故障検出部を有し、前記切替判断部は温度検出素子故障検出部が温度検出素子の故障を検出すると煙感知部と火災受信機とを接続するように接続部の接続を切り替えることを特徴とする複合型火災感知システム。
【請求項８】
前記切替判断部は、温度検出素子故障検出部が温度検出素子の故障を検出すると煙感知部と火災判断部とを接続するように接続部の接続を切り替えるとともに、火災判断部の火災発生の判断基準を高くして火災発生と判断しにくくすることを特徴とする請求項７記載の複合型火災感知システム。
【発明の詳細な説明】
【０００１】
【発明の属する技術分野】
本発明は、煙感知部と熱感知部とを併せ持った複合型火災感知器及びそのシステムに関する。
【０００２】
【従来の技術】
従来の技術の複合型火災感知器を図５、図６を用いて説明する。図５は複合型火災感知器の構成を示すブロック図である。図６は複合型火災感知器を含む火災感知システムの構成を示すブロック図である。
【０００３】
従来より煙感知部と熱感知部とを合わせ持つ複合型火災感知器が用いられている。このものは、昼間は熱感知部を用いて火災感知を行い、夜間は煙感知部を用いて火災感知を行っていた。昼間は熱感知部を用いているのは、昼間であれば人が大勢いて、タバコの煙なども生じやすいため、僅かな煙をも感知し得る煙感知部は不適切であり、また昼間に煙の発生するような火災であれば人が目視で発見するので煙検知部により火災感知するまでもないからである。また、夜間に煙感知部を用いて火災感知を行うのは、夜間は人がいないのでタバコの煙が発生することはないため、煙が検知されるとほぼ火災と判断できるからである。
【０００４】
図５において、複合型火災感知器Ａは、煙感知部１と、切替判断部２と、接続部３と、温度感知部４とを備える。
【０００５】
煙感知部１は、煙検知素子５、電流電圧変換部６、アナログ／デジタル変換部（以下Ａ／Ｄ変換部と記す）７、演算処理部８、煙火災判断部９、タイマ部１０を有している。
【０００６】
煙検知素子５は、不図示の暗箱内に設けられた発光ダイオード等の投光素子５ａと、受光軸を投光素子５ａの光軸とずらして設けられたフォトダイオード等の受光素子５ｂとを有して構成されており、投光素子５ａから照射された光が、暗箱内に流入した煙に乱反射して受光素子５ｂに受光されると、受光素子５ｂが微少な電流Ｉを出力するものである。そして、該電流Ｉが、電流電圧変換部６において電圧Ｖ１に変換され、該電圧Ｖ１がＡ／Ｄ変換部７によってデジタルデータに変換され、該デジタルデータが演算処理部８において数値煙濃度データＤに変換される。
【０００７】
煙火災判断部９は、演算処理部８より出力される数値煙濃度データＤに基づいて、火災が発生したと判断すると、発報信号Ｓ１を接続部３に出力するものである。
【０００８】
温度感知部４は、温度検出素子１１、Ａ／Ｄ変換部１２、演算処理部１３、温度火災判断部１４とを有している。
【０００９】
温度検出素子１１は周囲温度を検出して該温度に対応する電圧Ｖ２を出力するものであり、例えばサーミスタ等で構成されている。そして、該電圧Ｖ２がＡ／Ｄ変換部１２でデジタルデータに変換され、該デジタルデータが演算処理部１３で数値データである数値温度データＰに変換されて、温度火災判断部１４に出力される。
【００１０】
温度火災判断部１４は、数値温度データＰを予め定めた火災判断レベルであるしきい値ＴＨ２とを比較して、数値温度データＰがしきい値ＴＨ２より大きければ火災発生と判断する。そして、温度火災判断部１４は、火災が発生したと判断すると、発報信号Ｓ１を接続部３に出力する。
【００１１】
接続部３は、煙感知部１の煙火災判断部９と温度感知部４の温度火災判断部１４と火災受信機Ｂとに接続されており、煙火災判断部９又は温度火災判断部１４を火災受信機Ｂに選択接続するものである。そして、接続部３の接続状態は、切替判断部２の指示により切り替えられる。
【００１２】
切替判断部２は、時間帯に応じて接続部３における接続状態を切り替えるものであり、具体的には、昼間は温度感知部４の温度火災判断部１４と火災受信機Ｂとを接続するように接続状態を切替え、夜間は煙感知部１の煙火災判断部９と火災受信機Ｂとを接続するように接続状態を切り替える。
【００１３】
以上のようにして構成された複合型火災感知器にあっては、昼間は温度感知部４によって火災感知され、夜間は煙感知部によって火災感知される。従って、昼間はタバコの煙などによって誤発報することなく、夜間は煙感知部１によりより精度よく火災の感知を行う。
【００１４】
また、他の火災感知システムにあっては、図６に示すように、切替判断部２、接続部３、タイマ部１０、煙火災判断部及び温度火災判断部の働きを合わせ持つ火災判断部１６、を火災受信機Ｂに設けたものもある。
【００１５】
【発明が解決しようとする課題】
しかしながら、上述の図５、図６に示すような複合型火災感知器及びそのシステムにあっては、煙検知素子５が故障した場合には、夜間の煙感知による火災感知を行うことができず、また温度検出素子１１が故障した場合には、昼間の温度感知による火災感知を行うことができず防火上好ましくないという問題点があった。
【００１６】
本発明は、上記問題点を改善するために成されたもので、その目的とするところは、煙検知素子と温度検出素子とのいずれか一方が故障した場合であっても、火災の検知を連続的に行うことができ、防火上好ましい複合型火災感知器及びそのシステムを提供することにある。
【００１７】
【課題を解決するための手段】
本発明は上記の問題を解決するために、請求項１記載の発明にあっては、周囲の煙濃度を検知する煙検知素子及び該煙濃度に基づいて火災の発生を判断する煙火災判断部を有する煙感知部と、周囲温度を検出する温度検出素子及び該周囲温度に基づいて火災の発生を判断する温度火災判断部を有する温度感知部と、外部の火災受信機に煙感知部又は温度感知部を選択接続する接続部と、接続部の接続状態を切り替える切替判断部と、を備える複合型火災感知器であって、煙検知素子の故障を検出する煙検知素子故障検出部を有し、前記切替判断部は煙検知素子故障検出部が煙検知素子の故障を検出すると温度感知部と火災受信機とを接続するように接続部の接続を切り替えることを特徴とするものである。
【００１８】
請求項２記載の発明にあっては、前記切替判断部は、煙検知素子故障検出部が煙検知素子の故障を検出すると温度感知部と火災受信機とを接続するように接続部の接続を切り替えるとともに、温度感知部の温度火災判断部の火災発生の判断基準を低くして火災発生と判断しやすくすることを特徴とするものである。
【００１９】
請求項３記載の発明にあっては、周囲の煙濃度を検知する煙検知素子及び該煙濃度に基づいて火災の発生を判断する煙火災判断部を有する煙感知部と、周囲温度を検出する温度検出素子及び該周囲温度に基づいて火災の発生を判断する温度火災判断部を有する温度感知部と、外部の火災受信機に煙感知部又は温度感知部を選択接続する接続部と、接続部の接続状態を切り替える切替判断部と、を備える複合型火災感知器であって、温度検出素子の故障を検出する温度検出素子故障検出部を有し、前記切替判断部は温度検出素子故障検出部が温度検出素子の故障を検出すると煙感知部と火災受信機とを接続するように接続部の接続を切り替えることを特徴とするものである。
【００２０】
請求項４記載の発明にあっては、前記切替判断部は、温度検出素子故障検出部が温度検出素子の故障を検出すると煙感知部と火災受信機とを接続するように接続部の接続を切り替えるとともに、煙感知部の煙火災判断部の火災発生の判断基準を高くして火災発生と判断しにくくすることを特徴とするものである。
【００２１】
請求項５記載の発明にあっては、周囲の煙濃度を検知する煙検知素子を有する煙感知部と、周囲温度を検出する温度検出素子とを有する温度感知部と、を備える複合型火災感知器と、煙感知部の感知した煙濃度に基づいて火災の発生を判断し、温度感知部の感知した周囲温度に基づいて火災の発生を判断する火災判断部と、火災判断部に煙感知部又は温度感知部を選択接続する接続部と、接続部の接続状態を切り替える切替判断部と、を有する火災受信機と、を有して成る複合型火災感知システムであって、煙検知素子の故障を検出する煙検知素子故障検出部を有し、前記切替判断部は煙検知素子故障検出部が煙検知素子の故障を検出すると温度感知部と火災受信機とを接続するように接続部の接続を切り替えることを特徴とするものである。
【００２２】
請求項６記載の発明にあっては、前記切替判断部は、煙検知素子故障検出部が煙検知素子の故障を検出すると温度感知部と火災判断部とを接続するように接続部の接続を切り替えるとともに、温度感知部の火災判断部の火災発生の判断基準を低くして火災発生と判断しやすくすることを特徴とするものである。
【００２３】
請求項７記載の発明にあっては、周囲の煙濃度を検知する煙検知素子を有する煙感知部と、周囲温度を検出する温度検出素子とを有する温度感知部と、を備える複合型火災感知器と、煙感知部の感知した煙濃度に基づいて火災の発生を判断し、温度感知部の感知した周囲温度に基づいて火災の発生を判断する火災判断部と、火災判断部に煙感知部又は温度感知部を選択接続する接続部と、接続部の接続状態を切り替える切替判断部と、を有する火災受信機と、を有して成る複合型火災感知システムであって、温度検出素子の故障を検出する温度検出素子故障検出部を有し、前記切替判断部は温度検出素子故障検出部が温度検出素子の故障を検出すると煙感知部と火災受信機とを接続するように接続部の接続を切り替えることを特徴とするものである。
【００２４】
請求項８記載の発明にあっては、前記切替判断部は、温度検出素子故障検出部が温度検出素子の故障を検出すると煙感知部と火災判断部とを接続するように接続部の接続を切り替えるとともに、火災判断部の火災発生の判断基準を高くして火災発生と判断しにくくすることを特徴とするものである。
【００２５】
【発明の実施の形態】
本発明にかかる複合型火災感知器の第一実施の形態を図１に基づいて、第二実施の形態を図２、図３に基づいて、第三実施の形態を図４に基づいて説明する。
【００２６】
〔第一実施の形態〕
図１は、火災感知器の構成を説明するブロック図である。
【００２７】
図１において、複合型火災感知器Ａは、煙感知部２１と、切替判断部２２と、接続部２３と、温度感知部２４とを備える。
【００２８】
煙感知部２１は、煙検知素子２５、電流電圧変換部２６、アナログ／デジタル変換部（以下Ａ／Ｄ変換部と記す）２７、演算処理部２８、煙火災判断部２９、タイマ部３０、煙検知素子故障検出部３６を有している。
【００２９】
煙検知素子２５は、不図示の暗箱内に設けられた発光ダイオード等の投光素子２５ａと、受光軸を投光素子２５ａの光軸とずらして設けられたフォトダイオード等の受光素子２５ｂとを有して構成されており、投光素子２５ａから照射された光が、暗箱内に流入した煙に乱反射して受光素子２５ｂに受光されると、受光素子２５ｂが微少な電流Ｉを出力するものである。
【００３０】
電流電圧変換部２６は、煙検知素子２５の出力する電流Ｉを電圧Ｖ１に変換して、Ａ／Ｄ変換部２７に出力するものである。Ａ／Ｄ変換部２７は、アナログ値である電圧Ｖ１をデジタルデータに変換して演算処理部２８に出力するものである。演算処理部２８は該デジタルデータを数値データである数値煙濃度データＤに変換して、煙火災判断部２９に出力するものである。
【００３１】
煙火災判断部２９は、演算処理部２８より出力される数値煙濃度データＤと、火災判断レベルであるしきい値ＴＨ１とを比較して、数値煙濃度データＤがしきい値ＴＨ１よりも大きい場合には、タイマ部３０において計時する降蓄積時間Ｔの期間内に演算処理部２８より出力される数値煙濃度データＤとしきい値ＴＨ１とを比較して、数値煙濃度データＤがしきい値ＴＨ１以下でなければ火災発生と判断する。
【００３２】
一方、煙火災判断部２９は、演算処理部２８より出力される数値煙濃度データＤと、火災判断レベルであるしきい値ＴＨ１とを比較して、数値煙濃度データＤがしきい値ＴＨ１よりも大きい場合であっても、その時点以降蓄積時間Ｔの期間内に演算処理部２９より出力される数値煙濃度データＤとしきい値ＴＨ１とを比較して、数値煙濃度データＤがしきい値ＴＨ１以下であれば火災発生とは判断しない。煙火災判断部２９は、火災が発生したと判断すると、発報信号Ｓ１を接続部２３に出力する。
【００３３】
煙検知素子故障判断部３６は、煙検知素子２５の故障を検出するものである。具体的には、煙検知素子２５が故障した場合には投光素子２５ａであるＬＥＤのＬＥＤ駆動回路に電流が流れなくなるので、煙検知素子故障判断部３６は、該電流が流れないことを検出することにより故障を検出する。そして、煙検知素子故障判断部３６は、煙検知素子２５が故障している場合には、故障信号Ｓ２を切替判断部２２に出力する。
【００３４】
温度感知部２４は、温度検出素子３１、Ａ／Ｄ変換部３２、演算処理部３３、温度火災判断部３４とを有している。
【００３５】
温度検出素子３１は周囲温度を検出して該温度に対応する電圧Ｖ２を出力するものであり、例えばサーミスタ等で構成されている。Ａ／Ｄ変換部３２は電圧Ｖ２をデジタルデータに変換して演算処理部３３に出力するものである。
【００３６】
演算処理部３３は該デジタルデータを数値データである数値温度データＰに変換し、温度火災判断部３４に出力される。
【００３７】
温度火災判断部３４は、数値温度データＰを予め定めた火災判断レベルであるしきい値ＴＨ２とを比較して、数値温度データＰがしきい値ＴＨ２より大きければ火災発生と判断する。そして、温度火災判断部３４は、火災が発生したと判断すると、発報信号Ｓ１を接続部２３に出力する。
【００３８】
接続部２３は、煙感知部２１の煙火災判断部２９と温度感知部２４の温度火災判断部３４と火災受信機Ｂとに接続されており、煙火災判断部２９又は温度火災判断部３４を火災受信機Ｂに選択接続するものである。そして、接続部２３の接続状態は、切替判断部２２の指示により切り替えられる。
【００３９】
切替判断部２２は、時間帯に応じて接続部２３における接続状態を切り替えるものであり、具体的には、昼間は温度感知部２４の温度火災判断部３４と火災受信機Ｂとを接続するように接続状態を切替え、夜間は煙感知部２１の煙火災判断部２９と火災受信機Ｂとを接続するように接続状態を切り替える。
【００４０】
また、切替判断部２２は故障信号Ｓ２を煙検知素子故障判断部３６から受け取ると、時間帯に関係なく温度火災判断部３４を火災受信機Ｂと接続するように接続部２３の状態を切替え、更に、温度火災判断部３４のしきい値ＴＨ２を低い値に変更する。
【００４１】
以上のようにして構成された複合型火災感知器は次のようにして動作する。即ち、切替判断部２２が、昼間は温度感知部２４の温度火災判断部３４と火災受信機Ｂとを接続するように接続状態を切替え、夜間は煙感知部２１の煙火災判断部２９と火災受信機Ｂとを接続するように接続状態を切り替え、昼間は温度感知部２４によって火災の検知を行い、夜間は煙感知部２１によって火災の検知を行う。
【００４２】
そして、煙検出素子２５が故障した場合には、煙検知素子故障判断部３６が煙検知素子２５の故障を検出して故障信号Ｓ２を切替判断部２２に出力する。
【００４３】
切替判断部２２は、該故障信号Ｓ２を受け取ると時間帯に関係なく温度火災判断部３４を火災受信機Ｂと接続するように接続部２３の状態を切替え、更に、温度火災判断部３４のしきい値ＴＨ２を低い値に変更する。
【００４４】
よって、夜間に煙検知素子２５が故障した場合であっても、しきい値ＴＨ２が下げられて、火災発生と判断しやすくなされた温度感知部２４によって、火災の感知が続けられ、火災の感知が途切れることがない。
【００４５】
〔第二実施の形態〕
図２は火災感知器の構成を説明するブロック図である。なお、図２においては前述の第一実施の形態で説明したところの複合型火災感知器と同等の箇所には同じ符号を付してあるので、同等の箇所の詳細な説明は省略する。
【００４６】
図２に示す本第二実施の形態の複合型火災感知器が、前述の第一実施の形態で説明したところの複合型火災感知器と異なり特徴となるのは次の構成である。
【００４７】
即ち、煙検知素子故障判断部３６を設けずに、温度検出素子故障判断部３７を設け、切替判断部２２は、温度検出素子故障判断部３７から故障信号Ｓ３を受け取ると、時間帯に関係なく煙火災判断部２９を火災受信機Ｂと接続するように接続部２３の状態を切替え、更に、煙火災判断部２９のしきい値ＴＨ１を高い値に変更する。
【００４８】
温度検出素子故障判断部３７は、温度検出素子３１の故障は検出するものである。具体的には、温度検出素子３１が故障した場合には温度検出素子３１を構成するサーミスタの抵抗値が０［Ω］（サーミスタが短絡した場合）又は無限大（サーミスタが断線した場合）となるので、温度検出素子故障判断部３７は該抵抗値に０［Ω］または無限大になったことを検出することにより故障を検出する。そして、温度検出素子故障判断部３７は、温度検出素子３１が故障している場合には、故障信号Ｓ３を切替判断部２２に出力する。
【００４９】
以上のようにして構成された複合型火災感知器は次のようにして動作する。即ち、切替判断部２２が、昼間は温度感知部２４の温度火災判断部３４と火災受信機Ｂとを接続するように接続状態を切替え、夜間は煙感知部２１の煙火災判断部２９と火災受信機Ｂとを接続するように接続状態を切り替え、昼間は温度感知部２４によって火災の検知を行い、夜間は煙感知部２１によって火災の検知を行う。
【００５０】
そして、温度検出素子３１が故障した場合には、温度検出素子故障判断部３７が温度検出素子３１の故障を検出して故障信号Ｓ３を切替判断部２２に出力する。
【００５１】
切替判断部２２は、該故障信号Ｓ３を受け取ると時間帯に関係なく煙火災判断部２９を火災受信機Ｂと接続するように接続部２３の状態を切替え、更に、煙火災判断部２９のしきい値ＴＨ１を高い値に変更する。
【００５２】
よって、昼間に温度検出素子３１が故障した場合であっても、しきい値ＴＨ１が上げられて、火災発生と判断しにくくなされた煙感知部２１によって、火災の感知が続けられ、火災の感知が途切れることがない。
【００５３】
また、図３に示すように、煙検知素子故障判断部３６と温度検出素子故障判断部３７とを設けて、煙検知素子２５又は温度検出素子３１の一方が故障した場合、他方の素子で火災の検知を行うようにしてもよい。この場合、いずれが故障しても他方のもので補うことができるので、より好ましいものとなる。
【００５４】
〔第三実施の形態〕
図４は火災感知システムの構成を説明するブロック図である。なお、図４においては前述の第一実施の形態及び第二の実施の形態で説明したところの火災感知器と同等の機能を有する部位には同じ符号を付してあるので、同等の箇所の詳細な説明は省略する。
【００５５】
図４に示す本第三実施の形態の火災感知システムが、前述の第一実施の形態及び第二実施の形態で説明したところの火災感知器を含むシステムと異なり特徴となるのは次の構成である。
【００５６】
即ち、接続部２３、切替判断部２２、火災判断部３８、タイマ部３０を火災受信機Ｂに設けた構成である。なお、図４においては、火災受信機Ｂと火災感知器Ａとを複数の信号線で接続しているが、このような接続状態に限られるものではなく、一本の信号線で接続して、信号線により数値煙濃度データＤと数値温度データＰとを送信するようにしてもよい。
【００５７】
火災判断部３８は、第一実施の形態で説明したところの煙火災判断部２９と温度火災判断部３４とを併せたものであって、接続部２３から数値温度データＰが入力されると温度火災判断部３４と同じ働きをし、数値煙濃度データＤが入力されると煙火災判断部２９と同じ働きをするものである。
【００５８】
以上のような構成の火災感知システムにあっては、火災発生の判断を火災受信機Ｂで行うと共に、煙検知素子故障判断部３６又は温度検出素子故障判断部３７からの故障信号Ｓ２，Ｓ３が切替判断部２２に入力されると、該信号に基づいて切替判断部２２が接続部２３の接続状態を切り替える。
【００５９】
よって、煙検知素子２５又は温度検出素子３１の一方が故障した場合、他方の素子で火災の検知を行うことができ、火災の感知が続けられて、火災の感知が途切れることがない。
【００６０】
【発明の効果】
本発明の複合型火災感知器及びそのシステムは上述のように構成してあるから、請求項１記載の発明にあっては、煙検知素子故障検出部が煙検知素子の故障を検出し、切替判断部は煙検知素子故障検出部が煙検知素子の故障を検出すると温度感知部と火災受信機とを接続するように接続部の接続を切り替えるので、煙検知素子が故障した場合であっても、温度感知部によって火災の感知が続けられ、火災の感知が途切れることがなく、火災の検知を連続的に行うことができ、防火上好ましい複合型火災感知器を提供できるという効果を奏する。
【００６１】
請求項２記載の発明にあっては、請求項１記載の発明の効果に加えて、切替判断部は、煙検知素子故障検出部が煙検知素子の故障を検出すると温度感知部と火災受信機とを接続するように接続部の接続を切り替えるとともに、温度感知部の温度火災判断部の火災発生の判断基準を低くして火災発生と判断しやすくするので、温度感知部によって煙感知部と同程度の敏感さでもって火災感知をすることのできる複合型火災感知器を提供できるという効果を奏する。
【００６２】
請求項３記載の発明にあっては、温度検出素子故障検出部が温度検出素子の故障を検出し、切替判断部は温度検出素子故障検出部が温度検出素子の故障を検出すると煙感知部と火災受信機とを接続するように接続部の接続を切り替えるので、温度検出素子が故障した場合であっても、煙感知部によって火災の感知が続けられ、火災の感知が途切れることがなく、火災の検知を連続的に行うことができ、防火上好ましい複合型火災感知器を提供できるという効果を奏する。
【００６３】
請求項４記載の発明にあっては、請求項３記載の発明の効果に加えて、切替判断部は、温度検出素子故障検出部が温度検出素子の故障を検出すると煙感知部と火災受信機とを接続するように接続部の接続を切り替えるとともに、煙感知部の煙火災判断部の火災発生の判断基準を高くして火災発生と判断しにくくするので、煙感知部によって温度感知部と同程度の敏感さでもって火災感知をすることのできる複合型火災感知器を提供できるという効果を奏する。
【００６４】
請求項５記載の発明にあっては、煙検知素子故障検出部が煙検知素子の故障を検出し、火災受信機の切替判断部は煙検知素子故障検出部が煙検知素子の故障を検出すると温度感知部と火災判断部とを接続するように接続部の接続を切り替えるので、煙検知素子が故障した場合であっても、温度感知部によって火災の感知が続けられ、火災の感知が途切れることがなく、火災の検知を連続的に行うことができ、防火上好ましい複合型火災感知システムを提供できるという効果を奏する。
【００６５】
請求項６記載の発明にあっては、請求項５記載の発明の効果に加えて、切替判断部は、煙検知素子故障検出部が煙検知素子の故障を検出すると温度感知部と火災判断部とを接続するように接続部の接続を切り替えるとともに、温度感知部の温度火災判断部の火災発生の判断基準を低くして火災発生と判断しやすくするので、温度感知部によって煙感知部と同程度の敏感さででもって火災感知をすることのできる複合型火災感知器を提供できるという効果を奏する。
【００６６】
請求項７記載の発明にあっては、温度検出素子故障検出部が温度検出素子の故障を検出し、火災受信機の切替判断部は温度検出素子故障検出部が温度検出素子の故障を検出すると煙感知部と火災判断部とを接続するように接続部の接続を切り替えるので、温度検出素子が故障した場合であっても、煙感知部によって火災の感知が続けられ、火災の感知が途切れることがなく、火災の検知を連続的に行うことができ、防火上好ましい複合型火災感知システムを提供できるという効果を奏する。
【００６７】
請求項８記載の発明にあっては、請求項７記載の発明の効果に加えて、切替判断部は、温度検出素子故障検出部が温度検出素子の故障を検出すると煙感知部と火災判断部とを接続するように接続部の接続を切り替えるとともに、煙感知部の煙火災判断部の火災発生の判断基準を高くして火災発生と判断しにくくするので、煙感知部によって温度感知部と同程度の敏感さでもって火災感知をすることのできる複合型火災感知器を提供できるという効果を奏する。
【図面の簡単な説明】
【図１】本発明の複合型火災感知器の第一実施の形態の構成例を示すブロック図である。
【図２】本発明の複合型火災感知器の第二実施の形態の構成例を示すブロック図である。
【図３】本発明の複合型火災感知器の第二実施の形態の他の構成例を示すブロック図である。
【図４】本発明の複合型火災感知器の第三実施の形態の構成例を示すブロック図である。
【図５】従来の技術の複合型火災感知器の構成を示すブロック図である。
【図６】従来の技術の複合型火災感知器を含む火災感知システムの構成を示すブロック図である。
【符号の説明】
２１  煙感知部
２２  切替判断部
２３  接続部
２４  温度感知部
２５  煙検知素子
２９  煙火災判断部
３１  温度検出素子
３４  温度火災判断部
３６  煙検知素子故障検出部
３７  温度検出素子故障検出部
Ａ    複合型火災感知器
Ｂ    火災受信機
【図１】
0003690025.tif 000002
【図２】
0003690025.tif 000003
【図３】
0003690025.tif 000004
【図４】
0003690025.tif 000005
【図５】
0003690025.tif 000006
【図６】
0003690025.tif 000007